【事件の表示】
　上記当事者間の特許第４２７７３０６号「美顔器」の特許無効審判事件についてされた平成２７年　６月２３日付け審決に対し、知的財産高等裁判所において審決取消しの判決（平成２７年（行ケ）第１０１４４号、平成２８年　９月２８日判決言渡）があったので、さらに審理のうえ、次のとおり審決する。
【結　論】
　特許第４２７７３０６号の特許請求の範囲を訂正請求書に添付された訂正特許請求の範囲のとおり、訂正後の請求項〔１、３〜６〕について訂正することを認める。 
　特許第４２７７３０６号の請求項１に係る発明についての特許を無効とする。 
　審判費用は、被請求人の負担とする。 
【理　由】
第１　手続の経緯  
　本件特許４２７７３０６号に係る発明についての出願は、平成１９年４月１０日（以下、「原出願日」という。）に出願した実用新案登録第３１３６４６５号に基づいて、平成１９年１１月８日に特許出願したものであって、平成２１年３月１９日にその請求項１〜６に係る発明について特許の設定登録がなされた。  
  
　そして、本件無効審判請求に係る手続の経緯は、以下のとおりである。  
平成２６年 ８月１３日　　本件無効審判請求  
平成２６年１０月３１日　　審判事件答弁書提出  
平成２７年 ２月 ３日　　請求人より口頭審理陳述要領書提出  
平成２７年 ２月 ３日及び同年２月１７日　　被請求人より口頭審理陳述要領書提出  
平成２７年 ２月１７日　　被請求人より上申書提出  
平成２７年 ２月１７日　　口頭審理  
平成２７年 ３月１３日　　被請求人より上申書提出  
平成２７年 ３月１３日　　請求人より上申書提出  
平成２７年 ４月 ９日　　請求人より上申書提出  
平成２７年 ４月１４日　　被請求人より上申書提出  
平成２７年 ５月２９日　　請求人より上申書提出  
平成２７年 ５月２９日　　被請求人より上申書提出  
平成２７年 ６月２３日付　審決（一次審決）  
平成２８年 ９月２８日　　審決取消判決言渡（平成２７年（行ケ）第１０１４４号）  
平成２８年１１月２８日　　訂正請求書提出  
平成２９年 ２月 ３日　　請求人より審判事件弁駁書提出  
平成２９年 ２月２７日付　審尋  
平成２９年 ３月２９日　　請求人より審尋回答書提出  
平成２９年 ４月 ３日　　被請求人より回答書提出  
平成２９年 ９月 ４日付　審決の予告　
 
　なお、平成２９年９月４日付けの審決の予告により、期間を指定して被請求人に訂正を請求する機会を与えたが、被請求人から訂正の請求がなされることなく上記期間が経過した。
第２　訂正について  
１　訂正請求の内容  
　平成２８年１１月２８日付けの訂正請求書により、被請求人が求める訂正（以下、「本件訂正」という。）は、本件特許の特許請求の範囲を訂正請求書に添付した訂正特許請求の範囲のとおり、訂正後の請求項１、３〜６からなる一群の請求項について訂正しようとするものであって、その内容は以下のとおりである（下線は訂正箇所を示すものであり、当審において付与した。）。  
（１）訂正事項１  
訂正事項１−１  
　請求項１の「引き込まれる導管」を「引き込まれる
一つの
  
訂正事項１−２  
　請求項１の「導管の先端に設けられた噴出ノズルを有するスプレー本体」を「導管の先端に設けられた噴出ノズルを有
し、一つの操作で導管の内孔を開閉可能と
  
訂正事項１−３  
　請求項１の「炭酸ガス供給用パイプと、而も前記スプレー本体」を「炭酸ガス供給用パイプと、
導管の先端箇所で噴出ノズルを螺着するカップリングと、
  
　なお、被請求人は、訂正事項２として、「特許請求の範囲３〜６を、訂正後の請求項１を引用するものとなるように訂正する。」と請求しているが、後述のように、訂正事項１に係る訂正後の請求項３〜６は、当該訂正事項１によって記載が訂正される請求項１に連動して訂正される一群の請求項であるから、訂正事項１に含まれるものとして扱う。 
  
２　請求項１、３〜６からなる一群の請求項に係る訂正の可否に対する判断  
（１）訂正事項１−１に係る訂正について  
　訂正事項１−１は、訂正前の請求項１の発明特定事項である導管について、「一つの」との発明特定事項を付加することにより、導管の数が一つであることを限定するものであるから、特許請求の範囲の減縮を目的とするものであって、特許法第１３４条の２第１項ただし書第１号の規定に適合する。
　そして、本件明細書には、【図３】とともに  
 「【０００７】・・・  
　図２は、美顔器の全体構成図である。而して具体的には図３及び４に示す如く、スプレー本体１には握手部２と直交する筒部３を内蔵配置している。この筒部３は導管４を主として成している。  
　而してこの導管４の前方位置には所定量の化粧水Ｗを収納する化粧水収納カップ５を装備している。この化粧水Ｗとしては、例えば一般化粧剤にゲルマニウム粒子を混合させれば、炭酸成分の保湿性と美白効果が一層強まり、美容目的、即ちソフト的効能が一層好適となる。この化粧水収納カップ５はキャップ６と導管４にねじ込まれる下端の滴下口７とより成っている。また、導管４の先端には噴出ノズル８が設けられている。」  
と記載されている。上記記載および【図３】から、スプレー本体に内蔵され、化粧水が引き込まれる導管は一つであることは明らかである。  
　よって、訂正事項１−１に係る訂正は、本件明細書等に記載した事項の範囲内においてされたものであり、また、特許請求の範囲を拡張・変更するものでもない。  
  
（２）訂正事項１−２に係る訂正について  
　訂正事項１−２は、訂正前の請求項１の発明特定事項であるスプレー本体について、「一つの操作で導管の内孔を開閉可能とする」との発明特定事項を直列的に付加することにより、スプレー本体を限定するものであるから、特許請求の範囲の減縮を目的とするものであって、特許法第１３４条の２第１項ただし書第１号の規定に適合する。 
  
　そして、本件明細書には、  
「【０００８】 
　スプレー本体１の握手部２には、炭酸ガス供給用ボンベＢに連結された炭酸ガス供給用パイプ９を収納し、その引込口１０を導管４に接続している。　また、この握手部２には反転自在に軸１１にて支持された操作リバー１２が装備されており、リンク１３にて上下にスライドして導管４の内孔４ａを開閉するシャッター板１４に連携している。  
　このシャッター板１４は、化粧水収納カップ５と炭酸ガス供給用パイプ９の引込口１０との間に位置し、操作レバー１２の引き付けによりリンク１３を介して縦溝１５を下方向にスライドし、導管４の内孔４ａを開く。」、  
「【００１１】  
　次に本発明美顔器の使用順序を説明すると、図１に示す如くは顔肌に噴出ノズル８を向けると共に、操作レバー１２を引く。 
　この操作レバー１２を引くことによりシャッター板１４が降下し、炭酸ガス供給用ボンベＢからの炭酸ガスが炭酸ガス供給用パイプ９を通して導管４の内孔４ａを直進し、化粧水収納カップ５からの化粧水を誘引して炭酸混合化粧水として噴出ノズル８から一気に噴霧状に顔肌に吹き付ける。勿論、そのガス噴出量、噴出度は噴出調整用摘子１６にて適度に調整する。  
　更に、使用を中止または終了する時は、操作レバー１２の引きを解けば、シャッター板１４が上昇して導管４の内孔４ａを閉塞し炭酸ガス供給を断つこととなる。」  
と記載されており、本件明細書には、操作レバー１２の引き付けという一つの操作で導管の内孔を開閉可能とするスプレー本体が記載されている。  
　よって、訂正事項１−２に係る訂正は、本件明細書に記載した事項の範囲内においてされたものである。  
　また、特許請求の範囲を拡張・変更するものでもない。  
  
（３）訂正事項１−３に係る訂正について  
　訂正事項１−３は、訂正前の請求項１の発明特定事項である美顔器について、「導管の先端箇所で噴出ノズルを螺着するカップリングと、」との発明特定事項を付加することにより、美顔器を限定するものであるから、特許請求の範囲の減縮を目的とするものであって、特許法第１３４条の２第１項ただし書第１号の規定に適合する。  
  
　そして、本件明細書には、  
「【０００９】・・・  
　また、導管４の先端噴出ノズル８にはパッキン１８にてシールドするカップリング１９を螺着する。」  
と記載されており、本件明細書には、美顔器が導管の先端箇所で噴出ノズルを螺着するカップリングを備えることが記載されている。  
　よって、訂正事項１−３に係る訂正は、本件明細書に記載した事項の範囲内においてされたものである。  
　また、特許請求の範囲の拡張・変更するものでもない。  
  
（４）一群の請求項についての検討  
　訂正事項１−１ないし１−３に係る訂正前の請求項１、３〜６について、訂正前の請求項３〜６は請求項１を直接的に引用するものであるから、請求項１、３〜６は特許法第１３４条の２第３項に規定する一群の請求項である。  
　よって、訂正事項１は、一群の請求項である請求項１、３〜６について訂正するものであるから、特許法第１３４条の２第３項の規定に適合する。 
  
（５）独立特許要件について 
　請求項３ないし６は、本件無効審判の請求がされていないから、訂正後の請求項３ないし６に係る発明は特許出願の際独立して特許を受けることができるものでなければならない。  
　そこで、訂正後の請求項３ないし６に係る発明の独立特許要件について検討すると、請求項３ないし６に係る発明について、請求人は無効理由を挙げておらず、当審は、これらの発明が特許出願の際独立して特許を受けることができないとする理由を発見しない。また、請求人も、訂正後の請求項３ないし６に係る発明について、独立特許要件を充足しない、との主張はしていない。 
　よって、訂正後の請求項３ないし６に係る発明が特許出願の際独立して特許を受けることができない、とすることはできない。 
  
３　小括  
　以上のとおりであるから、本件訂正は、特許法第１３４条の２第１項ただし書第１号に規定する事項を目的とするものであり、同第１３４条の２第３項の規定、同第１３４条の２第９項において読み替えて準用する特許法第１２６条第５項ないし第７項の規定に適合するものである。 
　よって、本件訂正を認める。 
  
第３　本件訂正発明  
　上記のとおり、本件訂正が認められたので、本件特許の請求項１に係る発明は、訂正請求書に添付された訂正特許請求の範囲の請求項１に記載された事項により特定される、以下のとおりのものである（以下、「本件訂正発明１」という。）。
「【請求項１】  
　所定量の化粧水を収納する化粧水収納カップと、該化粧水収納カップを装備すると共に、前記化粧水収納カップから滴下された化粧水が引き込まれる一つの導管を内蔵し、且つ該導管の先端に設けられた噴出ノズルを有し、一つの操作で導管の内孔を開閉可能とするスプレー本体と、更にこの導管内において前記滴下化粧水と混合して炭酸混合化粧水を噴出ノズルから霧状に噴出させる炭酸ガス供給用ボンベと、この炭酸ガス供給用ボンベと前記スプレー本体内の導管とを接続する炭酸ガス供給用パイプと、導管の先端箇所で噴出ノズルを螺着するカップリングと、而も前記スプレー本体に備えられた炭酸混合化粧水の噴出調整用摘子とで成したことを特徴とする美顔器。」 
  
第４　当事者の主張  
１　請求人の主張  
　請求人の主張する請求の趣旨は、請求項１に係る発明についての特許を無効とする、との審決を求めるものである。  
　また、その請求の要旨は、審判請求書、平成２７年２月３日付け口頭審理陳述要領書、平成２７年３月１３日付け上申書、平成２７年４月９日付け上申書、平成２７年５月２９日付け上申書、平成２９年２月３日付け弁駁書、平成２９年３月２９日付け審尋回答書の記載からみて、以下のとおりである。  
  
（１）本件訂正発明１に対する特許法第２９条第２項違反の無効理由  
　本件訂正発明１は、甲第２号証に記載の発明と、甲第３号証、甲第４号証又は甲第５号証、並びに甲第３号証又は甲第６号証に記載された発明に基づいて当業者が容易に発明をすることができたものであり、特許法第２９条第２項の規定により特許を受けることができない発明であるから、その特許は特許法第１２３条第１項第２号の規定により無効とされるべきものである。
（２）証拠方法  
　請求人は、審判請求書に添付して甲第１号証〜甲第６号証を提出し、口頭審理陳述要領書に添付して甲第７号証〜甲第１１の２号証を提出し、平成２７年３月１３日付け上申書に添付して甲第１２号証〜甲第１９号証を提出し、平成２７年４月９日付け上申書に添付して甲第２０号証を提出し、弁駁書に添付して甲第２１号証〜甲第３１号証を提出した。 
　なお、平成２７年２月１７日の口頭審理において、平成２７年２月３日付け陳述要領書における甲第９号証の追加は許可しない決定がされた。  
  
甲第１号証：特許第４２７７３０６号公報（本件特許公報）  
甲第２号証：特開平１−１１０３０４号公報  
甲第３号証：実願昭６２−１６４２０５号（実開平１−６９６４９号）のマイクロフィルム  
甲第４号証：実願平２−８３５３６号（実開平４−４１７４６号）のマイクロフィルム 
甲第５号証：特開２００４−２９８７６５号公報  
甲第６号証：特開２００３−８８７８１号公報  
甲第７号証：特許・実用新案審査基準　第III部　第III節　明細書又は図面の補正に関する事例集　限定的減縮の判断に関する事例２４、編集　特許庁、発行所　公益社団法人発明協会、発行日　２０００年１２月  
甲第８号証の１：ＹｏｕＴｕｂｅの動画（タイトル「エアブラシメイクＭａｇｉｃ『かんたん・うす付き・キレイ』ＨＯＬＬＹＷＯＯＤ」　URL「https://www.youtube.com/watch?v=1zUBh0AHCsg」）、作成者　Ｈｏｌｌｙｗｏｏｄ　Ａｉｒ　ＴＶ、アップロード日２００９年１２月１８日  
甲第８号証の２：ＹｏｕＴｕｂｅの動画（タイトル「エアブラシのダブルアクションを使ってみよう！」　URL「https://www.youtube.com/watch?v=AdId5WStngospfreload=10」、作成者　ｅｃｈｉｌｔｖ（越後谷勇樹）、アップロード日２０１１年１０月２１日 
甲第１０号証：カンペキ塗装ガイド２、００６頁、００７頁、００９頁　発行所　株式会社メディアワークス、発行日　２００６年１２月１５日 
甲第１１号証の１：ａｉｒ　ｆａｉｒｙホームページ（URL「http://school.airfairy.jp/products/ctg197.html」、 ダウンロード日　２０１５年１月１９日  
甲第１１号証の２：ａｉｒ　ｆａｉｒｙホームページ（URL「http://airfairy.jp/%e3%82%a8%e3%82%a2%e3%83%96%e3%83%a9%e3%82%b7%e6%9c%ac%e4%bd/93/」）、ダウンロード日　２０１５年１月１９日  
甲第１２号証：特開昭６１−２６０００６号公報  
甲第１３号証：特開昭６４−４７７０７号公報  
甲第１４号証：特開平８−１１３５２１号公報  
甲第１５号証：特開平２００１−１７２１１８号公報  
甲第１６号証：特開昭６０−８８１７７号公報  
甲第１７号証：特開２００６−８１８３２号公報  
甲第１８号証：特開平５−２６１００６号公報  
甲第１９号証：写真報告書　作成者　請求人代理人弁理士　小林徳夫、作成日　平成２７年３月１０日  
甲第２０号証：平成２６年（ワ）第１１１１０号判決文（平成２７年３月２５日　東京地方裁判所民事第２９部）  
甲第２１号証：特開昭６２−８４０１０号公報  
甲第２２号証：特開昭６２−１０８８０５号公報  
甲第２３号証：特開２００３−５４６６２号公報  
甲第２４号証：特開２００３−２７７２１８号公報  
甲第２５号証：特公平３−１４２８４号公報  
甲第２６号証：特開平１１−１７１７５５号公報  
甲第２７号証：特開２００３−３４６１２号公報  
甲第２８号証：特開２００５−２１９７５８号公報  
甲第２９号証：特開平１１−２２８３３４号公報  
甲第３０号証：特開２００５−２０４６号公報  
甲第３１号証：平成２７年（ネ）第１００６７号判決文（平成２８年９月２８日　知的財産高等裁判所第２部）  
  
２　被請求人の主張  
　被請求人は、本件無効審判請求は成り立たない、審判費用は請求人の負担とする、との審決を求め、口頭審理陳述要領書に添付して乙第１号証〜乙第８号証を提出し、平成２７年３月１３日付け上申書に添付して乙第９号証〜乙第１９号証の２を提出し、平成２９年４月３日付け回答書に添付して乙第２０号証〜乙第２１号証を提出した。 
  
乙第１号証：「スキンケア基本事典」　６４、６８、６９頁、著者　吉木伸子、発行所　株式会社池田書店、発行日　２０１３年１１月２０日  
乙第２号証：「化粧品科学ガイドブック」　２６〜２８、５６、５７頁、編集発行　日本化粧品技術者会、発行所　株式会社洋文社、発行日　昭和５４年５月２６日  
乙第３号証：「メークアップ−演劇メークの入門から歌舞伎・現代劇まで−」５、６、９、１０、２０〜２３頁、著者　深町稜子、発行所　萌文社、発行日　２００４年７月２８日  
乙第４号証：「歌舞伎の化粧」　３０〜３５、９８、１０８、１０９頁、編著者　長谷一美、発行所　株式会社雄山閣、発行日　平成２６年８月２５日
乙第５号証：「Ｐｒｏｆｅｓｓｉｏｎａｌ　Ｍａｋｅ−ｕｐ　美容編」　２０、２２〜２４頁、企画編集　三善メークアップ研究所、発行所　株式会社三善、発行日　２００２年９月  
乙第６号証：「美　炭酸ライフを始めよう。」　２６、３６頁、監修　平石貴久、著者　林毅　他、発行所　株式会社ベースボール・マガジン社、発行日　平成１８年７月２５日  
乙第７号証：「機械設計便覧」新版３版　７４７〜７４９頁、著者　木内石、発行所　日刊工業新聞社、発行日　昭和５３年７月１０日  
乙第８号証：「塗料と塗装」４版　１７３頁、著者　児玉正雄　他、発行所　株式会社パワー社、発行日　昭和６０年７月３０日  
乙第９号証：「ＳＨＩＳＥＩＤＯ　ＰＲＯＤＵＣＴ　ＣＡＴＡＬＯＧ　２０１４年度資生堂商品カタログ１社内用」　３、１１８、１１９、１２１頁、発行所　株式会社資生堂、発行日　２０１４年３月 
乙第１０号証：「ＳＫＩＮ　ＣＡＲＥ　ＣＡＴＡＬＯＧＵＥ　ＳＨＩＳＥＩＤＯ　スキンケアカタログ　２０１５．２．２１〜」　カタログ（縦２５．６ｃｍ、横９０．４ｃｍ、表裏両面）の一部の複写３頁分（複写の各頁は、カタログの隣接する頁の一部を含む。）の最終頁、発行所　株式会社資生堂
乙第１１号証：「ＴＯＴＡＬ　ＢＥＡＵＴＹ　ＭＡＸＦＡＣＴＯＲ　２０１４　Ｅｄｉｔｉｏｎ」　１、２、１７、２５頁、発行所　Ｐ＆Ｇマックスファクター合同会社  
乙第１２号証：「化粧品と美容の用語事典」　５２２頁、著者　竹村功、発行所　（有）あむすく、発行日　２００５年３月３日 
乙第１３号証：「化粧品事典」　６６３、６６４頁、編者　日本化粧品技術者会、発行所　丸善株式会社、発行日　平成１５年１２月１５日 
乙第１４号証：「メークアップの基本と実際」　目次の一部頁、３９、４５、４６頁、著者　ビンセント　Ｊ−Ｒ　キーホー、訳者　木畠通代、編集　野口忠夫、発行所　広放図書、発行日　１９７１年６月３０日  
乙第１５号証：「スキンケアとメイクの教科書」　３６、３７、５２〜５６頁、著者　室岡洋希、発行所　株式会社新星出版社、発行日　２０１２年３月２５日  
乙第１６号証の１：商品Ａ〜Ｅの写真  
商品Ａ：資生堂パウダーパフ、パウダー用パフ（ポリエステル）　「パウダーパフ１２３」、  
商品Ｂ：資生堂パウダーパフ（コットン毛）、パウダー用パフ（コットン）　「パウダーパフ１２２」、  
商品Ｃ：資生堂スポンジパフソフト（両用・パウダリー兼用）パウダリータイプ用　「スポンジパフソフト１１４」、  
商品Ｄ：株式会社コーセー化粧用コットン「ＰＵＲＥ＆ＳＯＦＴ　ＣＯＴＴＯＮ　ピュア＆ソフト　コットン」  
商品Ｅ：資生堂　「お手入れコットン　ＳＨＩＳＥＩＤＯ」  
乙第１６号証の２：商品Ａの正面の複写  
乙第１６号証の３：商品Ａの背面の複写  
乙第１６号証の４：商品Ｂの正面の複写  
乙第１６号証の５：商品Ｂの背面の複写  
乙第１６号証の６：商品Ｃの正面の複写  
乙第１６号証の７：商品Ｃの背面の複写  
乙第１６号証の８：商品Ｄの平面の複写  
乙第１６号証の９：商品Ｄの底面の複写  
乙第１６号証の１０：商品Ｄの左側面の複写  
乙第１６号証の１１：商品Ｅの平面の複写  
乙第１６号証の１２：商品Ｅの底面の複写  
乙第１６号証の１３：商品Ｅの左側面の複写  
乙第１７号証：「三善　プロ用化粧品　２０１４年４月現在」カタログ　カタログの一部の複写６頁分、複写の各頁は、カタログの隣接する頁の一部を含む。発行所　株式会社　三善  
乙第１８号証の１： 商品１（水おしろい「リキッドメークアップミニホワイト（おしろい）１００ｍＬ」株式会社三善製）の外観を示す正面の写真  
乙第１８号証の２：商品１の外観を示す背面の写真  
乙第１９号証の１： 商品２（顔用「ユウキ化粧水ＰＧ−Ｆ〈化粧水〉１００ｍＬ」株式会社遊気創健美倶楽部製）の外観を示す正面の写真  
乙第１９号証の２：商品２の外観を示す背面の写真 
乙第２０号証：「広辞苑」　第４版　８５５、１３０１、１７５６頁、編者　新村出、発行所　株式会社岩波書店、発行日　１９９１年１１月１５日 
乙第２１号証：「機械工学辞典」　９頁、編集者　越後亮三　他、発行所　株式会社朝倉書店、発行日　１９９３年６月１日 
  
第５　当審の判断  
１　刊行物の記載事項  
（１）甲第２号証  
　本件特許の原出願日前に頒布された刊行物である甲第２号証には、図面とともに以下の事項が記載されている。 
  
（甲２−１）「〈産業上の利用分野〉  
　本発明は、化粧料を噴霧して吹き付ける方法に関する。」（第１頁左欄第１２−１４行）  
（甲２−２）「〈従来の技術〉  
　化粧料の噴霧吹付については、頭髪用化粧料を噴霧して吹き付けるエアゾル式噴霧缶と、香水を噴霧して吹き付けるポンプ式噴霧器が知られている。
　皮膚用の基礎化粧料やメイクアップ化粧料は、パフ、ブラシ、筆等の化粧道具を用いて塗布している。  
　役者やモデル等の化粧姿を見せる職業人に皮膚用の基礎化粧料やメイクアップ化粧料を塗布する場合にも、パフ、ブラシ、筆等の化粧道具を用いている。  
　皮膚用の基礎化粧料やメイクアップ化粧料を噴霧して吹き付けることは行なわれていないようである。」（第１頁左欄第１８行−右欄第１２行）  
（甲２−３）「ところが、化粧料の塗布にパフ、ブラシ、筆等の化粧道具を用いると、皮膚を摩擦して刺激を与え、また、化粧道具が皮膚と化粧料を往復することによって化粧料に雑菌が付着することがある。」（第１頁右欄第１４−１７行）  
（甲２−４）「本発明者は、上記の問題点を解決するために、化粧料を、手作業によって塗布する代りに、工業的に吹き付けることに気が付き、塗料を噴霧して吹き付けるのと同様な方法によって化粧料を噴霧して吹き付けることを考え付いたのである。  
　即ち、本発明は、高圧気体源に弁を介して接続した気体噴射口と、化粧料容器に弁を介して接続した化粧料噴射口とを近接して配置し、気体噴射口から気体を噴射することによって化粧料噴射口から化粧料を噴霧して吹き付けることを特徴とする化粧料の吹付方法である。」（第２頁右上欄第１−１１行） 
（甲２−５）「本発明の化粧料の吹付方法においては、化粧料を噴霧して吹き付けるので、パフ、ブラシ、筆等の化粧道具を必要としない。 
　従って、化粧道具を用いる従来の方法とは異なり、皮膚を摩擦して刺激を与えることがなく、また、化粧料に雑菌が付着することがない。」（第２頁右上欄第１３−１８行） 
（甲２−６）「また、エアゾル式噴霧缶又はポンプ式噴霧器を用いる方法とは異なり、化粧料容器に吹付途中で化粧料を追加することができるので、化粧料を長期間吹き付けることができる。」（第２頁左下欄第８−１１行）  
（甲２−７）「吹付器１は、図面に示すように、棒状の器体２の前部の軸芯位置に化粧料通路３を穿設し、化粧料通路３の前端を器体２の前端面に開口して化粧料噴射口４に形成し、化粧料通路３の基端側に化粧料供給口５を器体２の外周面に開口して設けている。  
　化粧料通路３には、図面に示すように、ニードル弁の針軸６を挿入し、針軸６の先細状前端部を化粧料噴射口４から突出し、針軸６の後端の大径筒部７を器体２の筒状中央部に摺嵌し、器体２の筒状中央部に、針軸６の大径筒部７を前方に押圧する螺旋ばね８を設け、螺旋ばね８に抗して針軸６を後退させると、化粧料噴射口４が開口し、更に針軸６を後退させるに従って、化粧料噴射口４の開口面積が増大する構成にしている。 
　器体２の後端には、図面に示すように、調整軸９を螺合して貫通し、調整軸９の前端部を針軸６の大径筒部７に摺嵌し、針軸６の後退によって針軸６の大径筒部７の底が調整軸９の前端に当接可能にして、前後動可能な調整軸９の前端の位置によって針軸６の後退量を調整可能に、従って、化粧料噴射口４の開口面積を調整可能に構成している。 
　即ち、化粧料通路３の化粧料噴射口４と化粧料供給口５の間には、化粧料の噴霧量を調整するニードル弁の調整弁６を設けている。 
　器体２の化粧料通路３に近接した位置には図面に示すように、気体通路１０を穿設し、気体通路１０の前端を器体２の前端面の化粧料噴射口４の回りに円環状に開口して気体噴射口１１に形成し、気体通路１０の基端を、器体２の中央部下側に突設した軸部１２の下端に開口して、気体供給口１３に形成している。 
　器体２の軸部１２内の気体通路１０には、図面に示すように、弁軸１４を挿入し、弁軸１４の下端の円錐台状の弁板部を気体通路１０の弁座部に嵌合し、気体通路１０内に弁軸１４の弁板部を気体通路１０の弁座部に押圧する螺旋ばね１５を設け、螺旋ばね１５に抗して弁軸１４を下降させると、気体通路１０の弁座部が開口する構成にしている。」（第２頁右下欄第７行−第３頁右上欄第７行） 
（甲２−８）「器体２の筒状中央部には、図面に示すように、弁軸１４の上端を針軸６の大径筒部７の前側位置に突出して配置し、弁軸１４の突出上端に操作杆１６の下端を枢着して、操作杆１６の上端を器体２の筒状中央部の上側に突出し、操作杆１６を弁軸１４の軸芯方向に昇降可能に、かつ、前後方向に回動可能に設け、操作杆１６と針軸６の大径筒部７の間に湾曲した板ばね１７を介在して、操作杆１６の後方への回動によって針軸６を後退させる構成にしている。」（第３頁右上欄第１１−２０行） 
（甲２−９）「即ち、操作杆１６を下降させると、気体通路１０の開閉弁１４が開放し、操作杆１６を後方へ回動させると、化粧料通路３の調整弁６が開放する構成にしている。」（第３頁左下欄第１−４行） 
（甲２−１０）「吹付器１の化粧料供給口５には、図面に示すように、液状の化粧料を入れる化粧料容器１８を接続し、また、吹付器１の気体供給口１３に、空気圧縮機、空気ボンベ、炭酸ガスボンベ、窒素ガスボンベ等の高圧気体源１９を接続している。」（第３頁左下欄第５−９行）  
（甲２−１１）「この化粧料の吹付装置を用いて本例の化粧料の吹付方法を実施する場合、化粧料容器１８に所望の液状化粧料を入れ、吹付器１の操作杆１６を下降させる。 
　すると、操作杆１６の下降によって気体通路１０の開閉弁１４が開放し、高圧気体源１９から気体通路１０の気体供給口１３に供給された高圧気体が開放中の開閉弁１４を経て気体通路１３を流通して気体噴射口１１から噴射する。  
　気体噴射口１１から気体が噴射すると、気体噴射口１１に近接して配置された化粧料噴射口４の付近が負圧になり、化粧料通路３の調整弁６が開放すると化粧料噴射口４から化粧料が吸い出される状態になる。 
　次に、吹付器１の前端を被化粧者に向けて配置し、操作杆１６を下降させたままの状態で後方へ回動する。  
　すると、操作杆１６の後方への回動によって化粧料通路３の調整弁６が開放し、化粧料容器１８の化粧料が化粧料供給口５を経て化粧料通路３に流入し、その流入化粧料が開放中の調整弁６を経て化粧料噴射口４から噴霧されて被化粧者の皮膚に吹き付けられる。 
　化粧料噴射口４から噴霧される化粧料の流量を調整する場合は、調整軸９を前後動させて調整軸９の前端の位置を調整し、操作杆１６を後方へ回動させたときの針軸６の後退量を調整して、化粧料噴射口４の開口面積を調整する。 
　化粧料の吹付によって化粧料容器１８の化粧料が少なくなれば、吹付後又は吹付途中に、化粧料容器１８に化粧料を追加する。」（第３頁左下欄第１０行−右下欄第２０行）  
（甲２−１２）「図面の簡単な説明  
　図面は本発明の実施例の化粧料の吹付方法に用いる化粧料の吹付装置の縦断面図である。」（第４頁第１０−１２行） 
（甲２−１３）摘記事項（甲２−７）の「化粧料通路３には、図面に示すように、ニードル弁の針軸６を挿入し、針軸６の先細状前端部を化粧料噴射口４から突出し、針軸６の後端の大径筒部７を器体２の筒状中央部に摺嵌し、器体２の筒状中央部に、針軸６の大径筒部７を前方に押圧する螺旋ばね８を設け、螺旋ばね８に抗して針軸６を後退させると、化粧料噴射口４が開口し、更に針軸６を後退させるに従って、化粧料噴射口４の開口面積が増大する構成にしている。」、「即ち、化粧料通路３の化粧料噴射口４と化粧料供給口５の間には、化粧料の噴霧量を調整するニードル弁の調整弁６を設けている。」との記載、及び摘記事項（甲２−８）の「器体２の筒状中央部には、図面に示すように、弁軸１４の上端を針軸６の大径筒部７の前側位置に突出して配置し、・・・、操作杆１６を・・・、かつ、前後方向に回動可能に設け、操作杆１６と針軸６の大径筒部７の間に湾曲した板ばね１７を介在して、操作杆１６の後方への回動によって針軸６を後退させる構成にしている。」との記載から、化粧料通路３の化粧料噴射口４は、操作杆１６の前後方向への回動により針軸６が前後に移動することによって開閉されるものといえる。  
　また、摘記事項（２−７）の「器体２の軸部１２内の気体通路１０には、図面に示すように、弁軸１４を挿入し、弁軸１４の下端の円錐台状の弁板部を気体通路１０の弁座部に嵌合し、気体通路１０内に弁軸１４の弁板部を気体通路１０の弁座部に押圧する螺旋ばね１５を設け、螺旋ばね１５に抗して弁軸１４を下降させると、気体通路１０の弁座部が開口する構成にしている。」との記載、及び摘記事項（２−８）の「器体２の筒状中央部には、図面に示すように、弁軸１４の上端を針軸６の大径筒部７の前側位置に突出して配置し、弁軸１４の突出上端に操作杆１６の下端を枢着して、操作杆１６の上端を器体２の筒状中央部の上側に突出し、操作杆１６を弁軸１４の軸芯方向に昇降可能に、かつ、・・・構成にしている。」との記載から、気体通路１０は操作杆１６の弁軸１４の軸心方向の昇降により弁座部が開閉することにより開閉されるものといえる。 
　したがって、吹付器１は、操作杆１６の前後方向への回動と弁軸１４の軸心方向の昇降により、化粧料通路３と気体通路１０をそれぞれ開閉可能であるといえる。 
（甲２−１４）摘記事項（２−７）の「化粧料通路３の前端を器体２の前端面に開口して化粧料噴射口４に形成し、」、「気体通路１０の前端を器体２の前端面の化粧料噴射口４の回りに円環状に開口して気体噴射口１１に形成し、気体通路１０の基端を、器体２の中央部下側に突設した軸部１２の下端に開口して、気体供給口１３に形成している。」との記載、摘記事項（２−１０）の「吹付器１の気体供給口１３に、・・・、炭酸ガスボンベ、・・・等の高圧気体源１９を接続している。」との記載、及び摘記事項（２−１１）の「すると、操作杆１６の下降によって気体通路１０の開閉弁１４が開放し、高圧気体源１９から気体通路１０の気体供給口１３に供給された高圧気体が開放中の開閉弁１４を経て気体通路１３を流通して気体噴射口１１から噴射する。 
　気体噴射口１１から気体が噴射すると、気体噴射口１１に近接して配置された化粧料噴射口４の付近が負圧になり、化粧料通路３の調整弁６が開放すると化粧料噴射口４から化粧料が吸い出される状態になる。・・・、操作杆１６の後方への回動によって化粧料通路３の調整弁６が開放し、化粧料容器１８の化粧料が化粧料供給口５を経て化粧料通路３に流入し、その流入化粧料が開放中の調整弁６を経て化粧料噴射口４から噴霧されて被化粧者の皮膚に吹き付けられる。」との記載から、炭酸ガスボンベは、気体通路１０の先端に設けられた気体噴射口１１から炭酸ガスを噴射することにより、化粧料通路３の先端に設けられた化粧料噴射口４から化粧料を吸い出すとともに噴霧させるといえる。  
  
　上記摘記事項（甲２−１）〜（甲２−１２）及び上記認定事項（甲２−１３）、（甲２−１４）を図面を参照しつつ技術常識をふまえて整理すると、甲第２号証には、次の発明が記載されている。  
  
「所定量の基礎化粧料を収納する化粧料容器１８と、該化粧料容器１８を接続すると共に、前記化粧料容器１８から流入する基礎化粧料が化粧料通路３を介して吸い出される化粧料噴射口４の周りに開口する気体噴射口１１を有する気体通路１０を内蔵し、前記化粧料通路３と前記気体通路１０をそれぞれ開閉可能とする吹付器１と、更に該気体通路１０の先端に設けられた気体噴射口１１から炭酸ガスを噴射することにより該化粧料通路３の先端に設けられた化粧料噴射口４から前記基礎化粧料を吸い出すとともに噴霧させる炭酸ガスボンベと、この炭酸ガスボンベと前記吹付器１内の気体通路１０とを接続する手段と、而も前記吹付器１に備えられた基礎化粧料の噴出量を調整する調整軸９とで成した基礎化粧料の吹付装置。」 （以下、「甲２発明」という。）  
  
（２）甲第３号証  
　本件特許の原出願日前に頒布された刊行物である甲第３号証には、図面とともに以下の事項が記載されている。 
  
（甲３−１）「〔技術分野〕  
　この考案は、水性塗料用スプレー塗装装置に関するものである。」（第１頁第１５−１７行） 
（甲３−２）「第１図はその一実施例の概要を示す。すなわち、この実施例のスプレー塗装装置は、スプレーガン５を備えていて、そのヘッド８には、加圧塗料タンク１から塗料ホース１ｂを通して水性塗料１ａが供給され、空気圧縮機２から、エアホース１０ａ、１０ｂを介し、エアトランスホーマ３と水分供給手段４を経て圧縮空気が圧送され、前記ヘッド８で両者を混合噴霧化して、被塗物に吹付け塗装するようになっている。」（第３頁第９−１７行）  
（甲３−３）「スプレーガン５は、圧送された加圧塗料と圧縮空気を混合噴出する形式、通称エアコンビ方式の圧送形スプレーガンである。すなわち、第２図および第３図に拡大してみるように、引金６が図の右方向に引かれると、エアバルブ７ａに連結している棒状のバルブステム７ｂが押圧されてエアバルブ７ａが開き、圧縮空気がスプレーガン５の内部に導入される。スプレーガン５の内部には、圧縮空気の導入口であるエアニップル７ｃからヘッド８のエア吐出口であるエアオリフィス８ｂに至るエアの通路５ａが形成されている。７ｄはエアオリフィス８ｂから流出するエアの量を調節するエア調節部であり、エア調節ねじ７ｅを弛めると吐出エア量が増し、逆に締め付けると最小零まで吐出エア量が減るようになっており、吐出エア量を零の状態にするとエアレススプレーガンとして使用することができるものである。　９は塗料ノズル８ｃの弁としての働きをする塗料ニードルで、先端が針状になっていて、図において最左端にあるとき先端が塗料ノズル８ｃの内壁面に密着するようになっており、水性塗料の通路５ｂを閉じるようになっている。前記引金６はこの塗料ニードル９にも連結しているので、引金６が図において右に引かれると、引金６の動きにつれて塗料ニードル９は同じく右方向に移動し、その先端が塗料ノズル８ｃから離れてこれを開口し、加圧塗料タンク１内の圧力で圧送された水性塗料１ａが塗料の吐出口である塗料オリフィス８ａに噴流するようになっている。」（第５頁第１２行−第６頁第２０行） 
（甲３−４）「第４図は、この考案にかかる水性塗料用スプレー塗装装置の別の実施例の要部を示している。すなわち、この実施例は、塗料ノズル内で塗料と圧縮空気が混合される、内部混合形式のスプレーガンを使用したものである。そのヘッド１５は、中央に塗料オリフィス１５ａである孔が、塗料オリフィス１５ａの周囲にエアオリフィス１５ｂである孔が、それぞれ設けられたものであり、塗料ニードル１６が右方向に引かれると、塗料ニードル１６の針状の先端は塗料ノズル１５ｃの内壁から離れてこれを開口しつつ、塗料ニードル１６の移動にともないエアバルブが開けられて、圧縮空気が通路１３ａに導入されるようになっている。エアの通路１３ａは、塗料ノズル１５ｃ付近で塗料の通路１３ｂと一体になっており、エアが塗料ノズル１５ｃへ噴流する際に、同通路１３ｂへ塗料１１ａを吸い上げ、混合するようになっている。 
　この構成において、上記塗料ノズル１５ｃを通過する塗料１１ａとエアの激しい混合噴流は、塗料オリフィス１５ａから吐出され、さらに、水分供給手段１２によって水分を付与されたのちエアオリフィス１５ｂから噴出するエアと衝突して噴霧化されるようになっている。」（第１１頁第１５行−第１２頁第１７行） 
（甲３−５）第４図には、ヘッド１５の中央に開口する塗料オリフィス１５ａに至るエアの通路１３ａには、塗料ニードル１６が挿入されているとともに、塗料の通路１３ｂが接続されていることが図示されている。 
（甲３−６）摘記事項（甲３−４）「第４図は、この考案にかかる水性塗料用スプレー塗装装置の別の実施例の要部を示している。すなわち、この実施例は、塗料ノズル内で塗料と圧縮空気が混合される、内部混合形式のスプレーガンを使用したものである。」との記載によれば、第４図に図示されたものは、内部混合形式のスプレーガンの要部であることが理解できる。そして、当該スプレーガンは、そのエアの通路１３ａに圧縮空気を導入するための導入口を備えることは、自明である。 
　これらをふまえ、同（甲３−４）「エアの通路１３ａは、塗料ノズル１５ｃ付近で塗料の通路１３ｂと一体になっており、エアが塗料ノズル１５ｃへ噴流する際に、同通路１３ｂへ塗料１１ａを吸い上げ、混合するようになっている。  
　この構成において、上記塗料ノズル１５ｃを通過する塗料１１ａとエアの激しい混合噴流は、塗料オリフィス１５ａから吐出され」との記載及び図示事項（甲３−５）を整理すると、エアの通路１３ａは、スプレーガンの圧縮空気の導入口から、塗料の通路１３ｂとの接続点を介し、塗料オリフィス１５ａに至るものであることが理解できる。 
　そして、このエアの通路１３ａの構成を前提として、摘記事項（甲３−４）における「エアが塗料ノズル１５ｃへ噴流する際に、同通路１３ｂへ塗料１１ａを吸い上げ、混合する」との記載をみれば、空気圧縮機２から圧縮空気がエアの通路１３ａに導入されることにより生じた負圧により、塗料１１ａは塗料の通路１３ｂに吸い上げられるとともに、エアの通路１３ａと塗料の通路１３ｂとの接続点を経て、エアの通路１３ａに引き込まれ、一つのエアの通路１３ａ内において圧縮空気と混合することは技術的に明らかである。 
  
　してみると、上記摘記事項（甲３−１）〜（甲３−４）及び図示事項（甲３−５）並びに認定事項（甲３−６）を技術常識をふまえて整理すると、甲第３号証には、以下の事項が記載されているということができる。  
 　  
「水性塗料用スプレー塗装装置の塗料ノズル内で塗料と圧縮空気が混合する内部混合形式のスプレーガンにおいて、該スプレーガンは圧縮空気の導入口から、塗料の通路１３ｂとの接続点を介し、塗料オリフィス１５ａに至る一つのエアの通路１３ａを備え、空気圧縮機２から圧縮空気が該エアの通路１３ａに導入されることにより生じた負圧により塗料１１ａを吸い上げ、エアの通路１３ａ内において塗料１１ａと圧縮空気とを混合して、塗料オリフィス１５ａから吐出すること。」（以下、「甲３事項Ａ」という。） 
  
　また、上記摘記事項（甲３−３）「７ｄはエアオリフィス８ｂから流出するエアの量を調節するエア調節部であり、エア調節ねじ７ｅを弛めると吐出エア量が増し、逆に締め付けると最小零まで吐出エア量が減る」との記載からみて、甲第３号証には、以下の事項が記載されている。 
  
「スプレーガン５に備えられたエア調節ねじ７ｅにより、エアオリフィス８ｂから流出するエアの量を調節すること。」（以下、「甲３事項Ｂ」という。） 
  
（３）甲第４号証  
　本件特許の原出願日前に頒布された刊行物である甲第４号証には、図面とともに以下の事項が記載されている。 
  
（甲４−１）「〔産業上の利用分野〕  
　この考案は、消臭除菌剤や殺虫剤等の薬剤や化粧料等を、随時、簡単にスプレーすることのできる携帯用スプレー装置に関するものである。」（第２頁第１−４行）  
（甲４−２）「すなわち、この考案は、液体の吸入方法としていわゆるインジエクタ方式を採用したもので、・・・、上記ガスボンベに取り付けられた開閉弁を開くだけで、小型ボトル容器内の液体を、小型ガスボンベから噴射する不燃性ガスによつて吸入してノズル先端から吐出できるようになつている。」（第４頁第１２−１９行）  
（甲４−３）「第１図はこの考案の一実施例の縦断面図を示し、第２図は外観斜視図を示している。これらの図において、１はスプレー液を収容する小型のボトル容器で、その広口の口部２に、ねじ結合により蓋体３が着脱自在に取り付けられている。この蓋体３には、液体吸入パイプ４が挿通されており、その下端部４ａが上記ボトル容器１の底部近傍まで垂下している。また、上記液体吸入パイプ４の上端部には、吸入室５が配設されていて、その内部と液体吸入パイプ４の内部とが連通されている。そして、この吸入室５の向かつて左側の端面には吸入室５の内部に連通するスプレー配管６が延びており、その先端に、スプレーノズル７が着脱自在に取り付けられている。一方、８は不燃性圧縮空気が充填された小型のガスボンベで、その口部８ａに、着脱自在に開閉弁９が取り付けられている。そして、この開閉弁９から圧縮空気供給配管１０が延びており、その先端が上記吸入室５内に挿入されている。  
　上記吸入室５内では、第３図に示すように、上記圧縮空気供給配管１０の先端部１０ａと、スプレー配管６とが、テーパ状の混合管１１を介して対峙されており、いわゆるインジエクタを構成している。なお、上記圧縮空気供給配管１０の先端部１０ａは先すぼまりのテーパ状で、その内側にニードル弁１２が取り付けられている。１２ａはニードル弁１２を進退自在に支受するガイドブロツクである。」（第５頁第８行−第６頁第１５行）  
（甲４−４）「そして、上記カバー１３の一方の側面の外側には、スプレーノズル７が突き出しており、また反対側の側面の外側には、上記ニードル弁１２を進退させて上記圧縮空気供給配管１０から吸入室５内への圧縮空気噴射圧を調節する調節ねじ１６と、ガスボンベ８に取り付けられた開閉弁９の開閉コツク１７が突き出している。」（第７頁第３−９行） 
（甲４−５）「そして、上記外側の開閉コツク１７を開いて圧縮空気供給配管１０から吸入室５内に圧縮空気を導入することによつて、容器ボトル１内の液体を、液体吸入パイプ４から吸い上げてスプレーノズル７から噴射させることができる。」（第７頁第１４−１９行） 
（甲４−６） 第１図から、ガスボンベの口部８ａから開閉弁９、圧縮空気供給配管１０、吸入室５、スプレー配管６を介してスプレーノズル７までが管路として連結されていることが見てとれる。 
  
（甲４−７）摘記事項（甲４−３）「上記液体吸入パイプ４の上端部には、吸入室５が配設されていて、その内部と液体吸入パイプ４の内部とが連通されている。そして、この吸入室５の向かつて左側の端面には吸入室５の内部に連通するスプレー配管６が延びており、その先端に、スプレーノズル７が着脱自在に取り付けられている。一方、８は不燃性圧縮空気が充填された小型のガスボンベで、その口部８ａに、着脱自在に開閉弁９が取り付けられている。そして、この開閉弁９から圧縮空気供給配管１０が延びており、その先端が上記吸入室５内に挿入されている。」、同（甲４−４）及び（甲４−５）並びに図示事項（甲４−６）とを圧縮空気が導入される管路の構成に着目して整理すると、圧縮空気が導入される管路は、ガスボンベの口部８ａから、液体吸入パイプ４と連通された吸入室５を介し、スプレーノズル７に至るものであることが理解できる。 
（甲４−８）摘記事項（甲４−３）「上記吸入室５内では、第３図に示すように、上記圧縮空気供給配管１０の先端部１０ａと、スプレー配管６とが、テーパ状の混合管１１を介して対峙されており、いわゆるインジエクタを構成している。」及び摘記事項（甲４−５）を技術常識をふまえて整理すると、携帯用スプレー装置は、ガスボンベから圧縮空気が管路内に導入されることにより生じた負圧により液体を吸い上げ、管路の一部である吸入室内において液体と圧縮空気を混合して、スプレーノズル７から噴射させるものということができる。 
  
　上記摘記事項（甲４−１）〜（甲４−５）及び図示事項（甲４−６）並びに認定事項（甲４−７）、（甲４−８）を技術常識をふまえて整理すると、甲第４号証には、次の事項が記載されている。 
  
「携帯用スプレー装置において、ガスボンベの口部８ａから、液体吸入パイプ４と連通された吸入室５を介し、スプレーノズル７に至る一つの管路を備え、ガスボンベから炭酸ガスが該管路内に導入されることにより生じた負圧により液体を吸い上げ、管路内において液体と圧縮空気を混合して、スプレーノズル７から噴射すること。」（以下、「甲４事項Ａ」という。） 
  
　さらに、上記摘記事項（甲４−４）から、甲第４号証には、次の事項が記載されていることが理解できる。 
  
「携帯用スプレー装置に設けられたニードル弁調節ねじ１６により、圧縮空気噴射圧を調節すること。」（以下、「甲４事項Ｂ」という。） 
  
（４）甲第５号証  
　本件特許の原出願日前に頒布された刊行物である甲第５号証には、図面とともに以下の事項が記載されている。  
  
（甲５−１）「【０００１】  
【発明の属する技術分野】  
本発明は、気液混合装置に関し、詳しくは、電気電子等の精密部品の微細洗浄、製鉄工程における鋳片の冷却、製品への塗料の塗布等に好適に用いられる二流体ノズルの流体供給部に設けられ、供給する液体量を減少させても気体が液体供給路に逆流しないようにしているものである。」  
（甲５−２）「【００１５】  
【発明の実施の形態】  
以下、本発明の実施形態を図面を参照して説明する。  
図１および図２は第１実施形態を示し、該第１実施形態では、二流体ノズルのアダプタ１１と１５からなる気液混合装置１０を設け、アダプタ１１の先端にノズル本体１２を連結している。  
【００１６】  
アダプタ１１には軸線に沿って主流路１３を貫通し、該主流路１３の基端は大径の気体供給管連結部１３ａとしている。その内周面にネジを刻設し、気体供給管１４とネジ締めで連結する構成としている。  
主流路１３は、気体供給管連結部１３ａに続いて、小径流路からなるオリフィス１３ｂを設け、該オリフィス１３ｂの下流に大径化した気液混合部１３ｃを設け、該気液混合部１３ｃより先端にかけて同径の気液混合流路１３ｄとしている。 
【００１７】 
アダプタ１１には気液混合部１３ｃの周壁に、主流路１３と直交方向に穴１１ａを外周面にかけて貫通して穿設し、該穴１１ａを主流路１３に開口する小径穴と大径穴から構成し、大径穴に液体供給用のアダプタ１５を螺合していると共に、小径穴を後述する液体供給路の第１オリフィスとしている。」（甲５−３） 「【００１９】 
上記のように、気体が軸線方向から流入される気液混合部１３ｃに対して軸線方向と直交方向に、液体供給管連結部１５ａ、第２オリフィス１５ｂ、拡径流路１５ｃ、第１オリフィス１５ｄからなる液体流路１６を設け、該液体流路１６を通して気液混合部１３ｃに液体を吐出し、気体に側面衝突で混合させている。」 
（甲５−４）「【００２１】  
上記アダプタ１１の先端側の外周面にネジ１１ｂを設けると共に、該アダプタ１１の先端に接合するノズル本体１２の基端側外周面にフランジ１２ａを設け、止め具１６のネジ１６ａをネジ１１ｂに螺合して、アダプタ１１の先端にノズル本体１２をはさみ込んで固定している。該ノズル本体１２にはアダプタ１１の主流路１３と連通する気液混合流路１２ｂを設け、該気液混合流路１２ｂの先端を縮径して噴射口１２ｃを設けている。」 
  
（甲５−５）摘記事項（甲５−２）〜（甲５−４）を、【図１】を参照しつつ技術常識を踏まえて、気体が供給される管路の構成に着目して整理すると、気体が供給される管路は、気体供給管連結部１３ａからオリフィス１３ｂ、軸線方向と直交する方向に設けられた流体通路１６を備えた気液混合部１３ｃを介し、気液混合流路１３ｄ、ノズル本体１２に至るものであることが理解できる。そして、この気体が供給される管路の構成及び気体は気体供給源から供給されることは自明であることをふまえ、上記摘記事項（甲５−３）「気体が軸線方向から流入される気液混合部１３ｃに対して軸線方向と直交方向に・・・液体流路１６を設け、該液体流路１６を通して気液混合部１３ｃに液体を吐出し、気体に側面衝突で混合させている。」との記載をみれば、気体供給源から気体が気体供給管連結部１３ａに供給され、オリフィス１３ｂを通過することにより生じた負圧により、液体は液体流路１６を通して気液混合部１３ｃに吐出され、気体が供給される管路の一部である気液混合部１３ｃ及び気液混合流路１３ｄ内において気体と混合されることは、技術的に明らかである。 
  
　上記摘記事項（甲５−１）〜（甲５−４）及び認定事項（甲５−５）を、図面を参照しつつ技術常識を踏まえて整理すると、甲第５号証には、次の事項が記載されている。 
  
「塗料の塗布等に用いられる気液混合装置１０において、気体供給管連結部１３ａから、軸線方向と直交する方向に設けられた流体通路１６を備えた気液混合部１３ｃを介し、ノズル本体１２に至る気体が供給される一つの管路を備え、気体供給源から気体を気体が供給される管路に供給することにより生じた負圧により、液体は液体流路１６を通して気液混合部１３ｃに吐出し、気体が供給される管路内において液体と気体とを混合して、ノズル本体１２から噴射すること。」（以下、「甲５事項Ａ」という。） 
  
　さらに、上記摘記事項（甲５−１）、（甲５−２）、（甲５−４）を、図面を参照しつつ技術常識を踏まえて整理すると、甲第５号証には、次の事項が記載されている。 
  
「塗料の塗布等に用いられる気液混合装置において、気液混合装置の先端にノズル本体１２を螺着する止め具１６を設けたこと。」（以下、「甲５事項Ｂ」という。）  
  
（５）甲第６号証  
　本件特許の原出願日前に頒布された刊行物である甲第６号証には、図面とともに以下の事項が記載されている。 
  
（甲６−１）「【０００１】 
【発明の属する技術分野】本発明は、塗料カートリッジ内に収容される塗料を流体スプレーから噴出するエアやガス等の流体を用いて噴射する塗装スプレー装置に関する。」 
（甲６−２）「【００１２】塗装スプレー装置１は、塗料カートリッジ２と、該塗料カートリッジ２にスライド可能に組み合わせされる流体スプレー３とを備えており、流体スプレー３には、別途のエアコンプレッサやガスボンベ等の流体供給源（図示せず）につながるホース４が接続されている。」 
（甲６−３）「【００２０】前記スプレー本体１０は、中間部を交差するホルダ１０ａに操作ボタン１４を配置し、先端側に先細りの流体噴き出しノズル１５を備えるとともに、流量調整ロッド１６に付設の操作ダイヤル１６ａを後端部に突出させている。ホルダ１０ａの下部には小径のホース接続管１０ｂが垂設されており、該接続管１０ｂに前述のホース４が接続されている。」 
（甲６−４）「【００３０】また、操作ボタン１４の操作板１４ｂを押し下げると、操作ボタン１４の全体が下降して弾性弁体１８が弁座１９から離間し、スプレー本体１０とホルダ１０ａの流体通路２０ａ，２０ｂとが連通して、流体供給源からの流体がスプレー本体１０の流体通路２０ａへ流入する。流体通路２０ａへ流入した流体は、ニードル１６ｄの先端及び流体噴出孔２１の後端に設定したテーパ面１６ｅ，２１ａの間隙Ｃを通って流体噴出孔２１に入り、流体噴き出しノズル１５の先端１５ａから噴出する。」 
  
　上記摘記事項（甲６−１）〜（甲６−４）を、図面を参照しつつ技術常識を踏まえて整理すると、甲第６号証には、次の事項が記載されている。 
 　  
「塗料カートリッジ内に収容される塗料を流体スプレーから噴出するガス等の流体を用いて噴射する塗料スプレー装置において、ガスボンベと塗装スプレー装置１内の流体流路２０ａ、２０ｂとを接続するホース４を備えたこと。」（以下、「甲６事項」という。）  
 　 
２　対比  
　本件訂正発明１（以下、「前者」という。）と甲２発明（以下、「後者」という。）とを対比する。  
　技術常識を踏まえつつ、両者の構成部材の構造及び機能からみて、後者の「吹付器１」は前者の「スプレー本体」に相当し、同様に後者の「炭酸ガスボンベ」は前者の「炭酸ガス供給用ボンベ」にそれぞれ相当する。  
　また、後者の「容器１８」は前者の「収納カップ」に相当するとともに、基礎化粧料とは、一般的にメイクアップ化粧料に対して、皮膚を健やかに保ち肌質自体を整えることを目的とする化粧料を指し、請求人の提出した甲第１２号証ないし甲第１５号証等にも記載されているように、化粧水を含むものであることは明らかであるから、後者の「所定量の基礎化粧料を収納する化粧料容器１８」は、前者の「所定量の化粧水を収納する化粧水収納カップ」に相当する。 
　また、後者の「化粧料通路３」と「気体通路１０」は前者の「導管」と、「管路」という限りで一致するから、後者の「化粧料容器１８から流入する基礎化粧料が化粧料通路３を介して吸い出される化粧料噴射口４の周りに開口する気体噴射口１１を有する気体通路１０」は、前者の「化粧水収納カップから滴下された化粧水が引き込まれる一つの導管」と、「化粧水収納カップから供給された化粧水が流入する管路」という限りで一致する。 
　また、後者の「気体通路１０の先端に設けられた気体噴射口１１から炭酸ガスを噴射することにより該化粧料通路３の先端に設けられた化粧料噴射口４から前記基礎化粧料を吸い出すとともに噴霧させる炭酸ガスボンベ」は、前者の「滴下化粧水と混合して炭酸混合化粧水を噴出ノズルから霧状に噴出させる炭酸ガス供給用ボンベ」と、「化粧水を霧状に噴出させる炭酸ガス供給用ボンベ」という限りで一致し、同様に後者の「この炭酸ガスボンベと前記吹付器１内の気体通路１０とを接続する手段」は、前者の「この炭酸ガス供給用ボンベと前記スプレー本体内の導管とを接続する炭酸ガス供給用パイプ」と、「この炭酸ガス供給用ボンベと前記スプレー本体内の管路とを接続する手段」という限りで一致し、後者の「基礎化粧料の噴出量を調整する調整軸９」は、前者の「炭酸混合化粧水の噴出調整用摘子」と、「調整用摘子」という限りで一致する。 
　そして、後者の「基礎化粧料の吹付装置」は、化粧姿を見せることを職業とする人の化粧に用いるものであるから、それらの人の顔の化粧にも使用され、その美観を高めるために用いるものであって、前者の「美顔器」といえる。 
　してみると、両者は、「所定量の化粧水を収納する化粧水収納カップと、前記化粧水収納カップから供給された化粧水が流入する管路を内蔵するスプレー本体と、化粧水を霧状に噴出させる炭酸ガス供給用ボンベと、この炭酸ガス供給用ボンベと前記スプレー本体内の管路とを接続する手段と、而も前記スプレー本体に備えられた調整用摘子とで成した美顔器。」の点で一致し、以下の点で相違する。  
  
（相違点１）  
　本件訂正発明１は、スプレー本体が化粧水収納カップを「装備する」のに対し、甲２発明は、吹付器１が化粧料容器１８を「装備する」のか不明な点。  
  
（相違点２）  
　本件訂正発明１は、スプレー本体が、化粧水収納カップから滴下された化粧水が引き込まれる一つの導管を内蔵し、一つの操作で導管の内孔を開閉可能とするものであるのに対し、甲２発明は、吹付器１が、化粧料容器１８から流入する基礎化粧料が化粧料通路３を介して吸い出される化粧料噴射口４の周りに開口する気体噴射口１１を有する気体通路１０を内蔵し、前記化粧料通路３と前記気体通路１０をそれぞれ開閉可能とするものである点。  
  
（相違点３）  
　本件訂正発明１は、スプレー本体が、導管の先端に設けられた噴出ノズルを有するのに対し、甲２発明は、吹付器１が、そのような構成を有するか明らかでない点。  
  
（相違点４）  
　本件訂正発明１は、炭酸ガス供給用ボンベが、導管内において滴下化粧水と混合して炭酸混合化粧水を噴出ノズルから霧状に噴出させるのに対し、甲２発明は、炭酸ガスボンベが、気体通路１０の先端に設けられた気体噴出口１１から炭酸ガスを噴射することにより化粧料通路３の先端に設けられた化粧料噴射口４から基礎化粧料を吸い出すとともに噴霧させる点。 
  
（相違点５）  
　本件訂正発明１は、炭酸ガス供給用ボンベとスプレー本体内の導管とを接続する炭酸ガス供給用パイプを有するのに対し、甲２発明は、炭酸ガスボンベと吹付器１内の気体通路１０とを接続する手段の構成が不明な点。 
  
（相違点６）  
　本件訂正発明１は、導管の先端箇所で噴出ノズルを螺着するカップリングを有するのに対し、甲２発明は、そのような構成を有さない点。  
  
（相違点７）  
　本件訂正発明１は、噴出調整用摘子が炭酸混合化粧水の噴出調整用摘子であるのに対し、甲２発明は、調整軸９が基礎化粧料の噴出量を調整するものである点。  
  
３　判断  
（１）相違点２、４、７について 
　事案に鑑み、相違点２、４、７から検討する。 
　まず、本件訂正発明１の導管の構成及び炭酸ガスと化粧水とを導管内で混合する点について、甲３事項Ａ、甲４事項Ａ及び甲５事項Ａについて検討すると、いずれも、液体と気体とを混合して噴霧するための装置において、気体が導入される一つの管路は、その途中に液体が供給される構成となっており、気体源から該管路に気体が導入されることにより生じた負圧により液体を引き込み、該管路内で液体と気体とを混合して、ノズルから噴霧するものであることが理解できる。そして、甲３〜５号証の開示内容をふまえれば、上記の“液体と気体とを混合して噴霧するための装置において、気体が導入される一つの管路は、その途中に液体が供給される構成となっており、気体源から該管路に気体が導入されることにより生じた負圧により液体を引き込み、該管路内で液体と気体とを混合して、ノズルから噴霧すること”は、本件特許の原出願日前に、当該技術分野において周知の技術であるといえる。（以下、「周知技術１」という。） 
　そして、摘記事項（甲２−１１）「・・・化粧料容器１８に所望の液状化粧料を入れ、吹付器１の操作杆１６を下降させる。・・・高圧気体が開放中の開閉弁１４を経て気体通路１３を流通して気体噴射口１１から噴射する。気体噴射口１１から気体が噴射すると、気体噴射口１１に近接して配置された化粧料噴射口４の付近が負圧になり、化粧料通路３の調整弁６が開放すると化粧料噴射口４から化粧料が吸い出される状態になる。次に、吹付器１の前端を被化粧者に向けて配置し、操作杆１６を下降させたままの状態で後方へ回動する。すると、操作杆１６の後方への回動によって化粧料通路３の調整弁６が開放し、化粧料容器１８の化粧料が化粧料供給口５を経て化粧料通路３に流入し、その流入化粧料が開放中の調整弁６を経て化粧料噴射口４から噴霧されて被化粧者の皮膚に吹き付けられる。」との記載からみて、甲２発明も液体と気体とを混合して噴霧するための装置において、管路に気体が導入されることにより生じた負圧により液体を吸い出し、液体と気体とを混合して、ノズルから噴霧するものといえる。 
　してみると、甲２発明において周知技術１を採用することにより、基礎化粧料が引き込まれる一つの気体通路を内蔵し、炭酸ガスボンベが、気体通路内において炭酸ガスと基礎化粧料とを混合して炭酸混合化粧水を気体噴出口から噴霧、すなわち霧状に噴出させるよう構成することは、当業者が容易に想到できたことといえる。 
  
　また、本件訂正発明１の化粧水が、化粧水収納カップから滴下されたものである点について、甲第２号証の図面をみても、化粧料容器１８を器体２の上方に備えていることからみて、当該化粧料容器１８内の基礎化粧料は滴下されたものであるといえるから、実質的な相違点ではない。 
  
　さらに、本件訂正発明１のスプレー本体が、一つの操作で導管の内孔を開閉可能とするものである点について、摘記事項（甲２−７）「・・・器体２の軸部１２内の気体通路１０には、図面に示すように、弁軸１４を挿入し、弁軸１４の下端の円錐台状の弁板部を気体通路１０の弁座部に嵌合し、気体通路１０内に弁軸１４の弁板部を気体通路１０の弁座部に押圧する螺旋ばね１５を設け、螺旋ばね１５に抗して弁軸１４を下降させると、気体通路１０の弁座部が開口する構成にしている。」、摘記事項（甲２−１１）「この化粧料の吹付装置を用いて本例の化粧料の吹付方法を実施する場合、化粧料容器１８に所望の液状化粧料を入れ、吹付器１の操作杆１６を下降させる。すると、操作杆１６の下降によって気体通路１０の開閉弁１４が開放し、高圧気体源１９から気体通路１０の気体供給口１３に供給された高圧気体が開放中の開閉弁１４を経て気体通路１３を流通して気体噴射口１１から噴射する・・・」との記載からみて、甲２発明の吹付器１は、操作杆１６の下降という一つの操作でその気体通路１０の弁座部が開口する、すなわち気体通路１０の内孔を開閉可能としたものといえるから、実質的な相違点ではない。
　さらに、本件訂正発明１において、噴出調整用摘子が炭酸混合化粧水の噴出調整用摘子である点について、上記甲３事項Ｂ、甲４事項Ｂについて検討すると、この種の手で保持して使用するスプレー装置に設けられた調節用ねじは、手で摘むことにより操作することが自然であることをふまえると、いずれもスプレー装置に圧縮ガスの噴出量を調整するための摘みを設けたことということができる。そして、甲第３、４号証の開示内容からみて、上記“スプレー装置に圧縮ガスの噴出量を調整するための摘みを設けたこと”は、本件特許の原出願日前に、当該技術分野において周知の技術であるといえる。（以下、「周知技術２」という。） 
　そして、甲２発明に周知技術１及び２を適用したものについて、周知技術２の摘みにより炭酸ガスの噴出量を調整すれば、間接的に炭酸ガスと基礎化粧料を混合したものの噴出が調整されることは明らかである。 
　よって、甲２発明に周知技術１及び２を適用することにより、相違点２、４、７に係る構成とすることは当業者が容易に想到し得たことである。 
 　 
（２）相違点１について  
　次に相違点１について検討すると、容器に収納される液体を噴霧装置の内部に流入させるための容器と噴霧装置の接続形態として、容器を噴霧装置と一体的に設けて、装備する形態とすることは、美顔器に係る技術分野に限らず広く知られている（例えば甲第１０号証を参照。）から、吹付器に化粧料容器を装備することは、当業者が適宜なし得る設計的事項にすぎない。  
  
　被請求人は、「甲２では、化粧料容器１８は、長時間の間化粧料を一定に噴霧しつづけることで課題を解決したものであり、長時間の間化粧料を一定に噴霧できるほど大量の化粧料を収納するものであるので、吹付器１とは分離して備えなければ、課題を解決できない。」（平成２９年４月３日付け回答書の第３１頁第１８−２１行）とし、それを前提として、相違点１について甲２発明は何も示唆しないと主張している。  
　しかしながら、甲第２号証には、化粧料容器１８が大量の化粧料を収納するような大容量のものであるとの記載はなく、摘記事項（甲２−６）「また、エアゾル式噴霧缶又はポンプ式噴霧器を用いる方法とは異なり、化粧料容器に吹付途中で化粧料を追加することができるので、化粧料を長期間吹き付けることができる。」および摘記事項（甲２−１１）「化粧料の吹付によって化粧料容器１８の化粧料が少なくなれば、吹付後又は吹付途中に、化粧料容器１８に化粧料を追加する。」との記載のとおり、長時間の吹き付けを実現するという課題を解決するための手段として、容器の容量を増加することに限らず、化粧料を追加することも想定していることからみて、甲第２号証の化粧料容器１８が手で保持できる程度の小容量の化粧料容器であることも十分想定できる。  
　そうすると、甲２発明の化粧料容器１８は、大量の化粧料を収納するものであるかどうか不明であるのみならず、小容量のものであることも十分想定できるから、被請求人の上記主張はその前提において理由がない。 
　したがって、被請求人の主張は採用できない。 
  
（３）相違点３及び相違点６について  
　次に相違点３について検討すると、一般に、「ノズル」とは、「筒状で先端の細孔から流体を噴出する装置」（広辞苑第六版、株式会社岩波書店）を意味することは明らかである。  
　また、本件明細書には、「【０００８】・・・また、導管４の先端には噴出ノズル８が設けられている。」「【０００９】・・・また、導管４の先端噴出ノズル８にはパッキン１８にてシールドするカップリング１９を螺着する。更に、噴出ノズル８には顔肌に添わせる吸引パット２０を適宜装着する。勿論、この吸引パット２０を使用せずして直接顔肌に噴出ノズル８からの噴霧混合化粧水を吹き付けてもよい。」「【００１１】次に本発明美顔器の使用順序を説明すると、図１に示す如くは顔肌に噴出ノズル８を向けると共に、操作レバー１２を引く。  
　この操作レバー１２を引くことにより・・・炭酸混合化粧水として噴出ノズル８から一気に噴霧状に顔肌に吹き付ける。」と記載されている。 
　したがって、本件訂正発明１の相違点３に係る構成の「噴出ノズル」は、当該記載から、噴出ノズルが導管４の先端に存在するものであること、および、噴出ノズルから炭酸混合化粧水が噴霧状に吹き付けられることが理解できる。  
　一方、甲２発明を見てみると、摘記事項（甲２−７）（甲２−１１）および図示内容から、気体通路１０の先端の、化粧料噴射口４と気体噴射口１１の間の部分は、円環状、すなわち筒状で、先端の細孔から高圧気体と化粧料の混合流を噴霧する。してみると、甲第２号証には「ノズル」について明示的な記載はないが、甲２発明の気体通路１０も実質的に本件訂正発明１の噴出ノズルに相当するものを有しているといえる。  
　したがって、相違点３は実質的な相違点ではない。  
  
　さらに、相違点６について、甲２発明において、甲５事項Ｂを採用することにより、管路の先端に設けられた噴出ノズルと、当該噴出ノズルを管路の先端箇所で螺着するカップリングとを有するものとすることは、当業者が容易になし得たことである。 
  
　被請求人は、相違点３について「甲２発明の負圧吸引の構成と、甲５発明の加圧水と加圧空気とを強制的に混合する構成とは、相違しているので、甲２発明に甲５発明を組合わせる動機付けがない。」（同回答書の第４６頁第６−８行）、相違点６について「甲２発明には、気液混合流体を噴出する噴出ノズルが存在しないので、カップリングは、もともと螺着不可能、不要であり、甲２はカップリングを開示も示唆もしない。」（同回答書の第５０頁第１１−１３行）と主張している。 
　しかしながら、管路の先端に噴出ノズルを設けることと、液体と気体との混合形式との間には直接的な関連は見出せない。したがって、混合形式が相違していることによって、甲２発明に甲５事項Ｂを組合わせる動機付けがないとはいえない。また、さきに示したとおり、甲２発明の気体通路１０も実質的に本件訂正発明１の噴出ノズルに相当するものを有しているといえるから、相違点６についての被請求人の主張はその前提を欠くものである。  
　したがって、被請求人の主張は採用できない。  
  
（４）相違点５について  
　高圧気体と液体を混合して噴霧する装置において、高圧気体源と噴霧装置の管路を接続する手段として、パイプを用いることは常とう手段（例えば、甲６事項参照。）であって、高圧気体が炭酸ガスであれば、炭酸ガス供給用パイプを採用することは、設計的事項にすぎない。  
  
　被請求人は、相違点５について、「甲２発明は、工業的かつ長時間噴出させ得る量の炭酸ガスが充填された炭酸ガスボンベでなければ甲２発明の課題を解決できず、卓上型ガスボンベを示唆せず、炭酸ガスボンベと吹付器１内の気体通路１０とを接続する炭酸ガスボンベ接続手段を有する。よって、訂正発明１のような単なるパイプで事足りるのかどうかは不明である。」（同回答書第４９頁第１２−１８行）と主張している。  
　しかしながら、甲２発明も本件訂正発明１と同様に、基礎化粧料を人の肌に吹き付けることを考慮すると、本件訂正発明１の炭酸ガス供給用パイプと甲２発明の上記炭酸ガスボンベ接続手段を通過する炭酸ガスの流量や圧力に特筆すべき差があるとは認められず、要求される強度も同程度と考えられるから、被請求人の主張はその前提において失当であり、採用することができない。  
  
（５）まとめ  
　本件訂正発明１が奏する効果は、全体としてみても、甲２発明、甲５事項Ｂ、上記周知技術及び上記常とう手段から、当業者が予測できる範囲内のものであって、格別のものとはいえない。 
　よって、本件訂正発明１は、甲２発明、甲５事項Ｂ、上記周知技術及び上記常とう手段に基づいて、当業者が容易に発明をすることができたものである。  
  
第６　むすび  
　以上のとおりであるから、請求項１についての本件特許は特許法第１２３条第１項第２号に該当するので、無効にすべきものである。  
  
　審判に関する費用については、特許法第１６９条第２項の規定で準用する民事訴訟法第６１条の規定により、被請求人が負担すべきものとする。  
　よって、結論のとおり審決する。